【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
複合ポリマーイオン交換膜であって、
前記複合ポリマーイオン交換膜が互いに反対側の表面を有し、
（ａ）非伝導性非圧密化ポリマー繊維を含む多孔質不織ウェブ材料と、
（ｂ）少なくとも１種類のイオン交換ポリマーであって、前記複合膜全体にわたって実質的に等しい体積分率を有し、互いに反対側の表面の間での体積分率が５０パーセントを超えるように、前記複合膜の前記互いに反対側の表面の間に含浸された、少なくとも１種類のイオン交換ポリマーとを含む、
複合ポリマーイオン交換膜。
【請求項２】
請求項１に記載の複合ポリマーイオン交換膜を含む、フロー電池。
【請求項３】
請求項１に記載の複合ポリマーイオン交換膜を含む、膜電極接合体。
【請求項４】
請求項３に記載の膜電極接合体を含む燃料電池。
【請求項５】
互いに反対側の表面を有する複合ポリマーイオン交換膜の製造方法であって：
（ａ）少なくとも１種類のイオン交換ポリマーを含む溶液または分散体を提供する工程と、
（ｂ）非伝導性非圧密化ポリマー繊維を含む多孔質不織ウェブ材料を提供する工程と、
（ｃ）前記溶液または分散体を前記ウェブに接触させる工程であって、乾燥時に、前記少なくとも１種類のイオン交換ポリマーが、前記不織ウェブの互いに反対側の表面の間に含浸され、前記少なくとも１種類のイオン交換ポリマーが、前記複合膜全体にわたって実質的に等しい体積分率を有し、前記互いに反対側の表面の間での体積分率が５０パーセントを超えるように行われる工程と
を含む、方法。
【手続補正２】
【補正対象書類名】明細書
【補正対象項目名】０１２０
【補正方法】変更
【補正の内容】
【０１２０】
などの繰り返し単位を含むことができる。
以下に、本発明の好ましい態様を示す。
［１］  複合ポリマーイオン交換膜であって、
前記複合ポリマーイオン交換膜が互いに反対側の表面を有し、
（ａ）非伝導性非圧密化ポリマー繊維を含む多孔質不織ウェブ材料と、
（ｂ）少なくとも１種類のイオン交換ポリマーであって、前記複合膜全体にわたって実質的に等しい体積分率を有し、互いに反対側の表面の間での体積分率が５０パーセントを超えるように、前記複合膜の前記互いに反対側の表面の間に含浸された、少なくとも１種類のイオン交換ポリマーと
を含む、複合ポリマーイオン交換膜。
［２］  前記イオン交換ポリマーがカチオン交換ポリマーである、［１］に記載の複合ポリマーイオン交換膜。
［３］  前記イオン交換ポリマーがアニオン交換ポリマーである、［１］に記載の複合ポリマーイオン交換膜。
［４］  前記多孔質不織ウェブ材料が、少なくとも約６５％の多孔度及び１０μｍ以下の平均孔径を有する、［１］に記載の複合ポリマーイオン交換膜。
［５］  前記ウェブ材料が、ポリイミド、ポリエーテルスルホン（ＰＥＳ）、及びポリフッ化ビニリデン（ＰＶＤＦ）からなる群から選択される、［１］に記載の複合ポリマーイオン交換膜。
［６］  前記ウェブ材料が溶融紡糸ポリマー及び溶液紡糸ポリマーからなる群から選択される、［１］に記載の複合ポリマーイオン交換膜。
［７］  カチオン交換ポリマー及びアニオン交換ポリマーの両方を含む、［１］に記載の複合ポリマーイオン交換膜。
［８］  ８０ｍＳ／ｃｍを超えるイオン伝導度を有する、［１］に記載の複合ポリマーイオン交換膜。
［９］  前記イオン交換ポリマーが、前記ウェブ材料を含有せず、前記ウェブの前記互いに反対側の表面の少なくとも一方に接触するニート層を更に形成している、［１］に記載の複合ポリマーイオン交換膜。
［１０］  ［１］に記載の複合ポリマーイオン交換膜を含む、フロー電池。
［１１］  ［１］に記載の複合ポリマーイオン交換膜を含む、膜電極接合体。
［１２］  ［１１］に記載の膜電極接合体を含む燃料電池。
［１３］  ２〜５００ミクロンの範囲内の厚さを有する、［１］に記載の複合ポリマーイオン交換膜。
［１４］  前記イオン交換ポリマーが、式−（Ｏ−ＣＦ2ＣＦＲｆ）a−（Ｏ−ＣＦ2）b−（ＣＦＲ’ｆ）cＳＯ3Ｍ（式中、Ｒf及びＲ’fは、独立して、Ｆ、Ｃｌ、または１〜１０個の炭素原子を有する過フッ素化アルキル基から選択され、ａ＝０、１、または２、ｂ＝０〜１、及びｃ＝０〜６であり、Ｍは、水素、Ｌｉ、Ｎａ、Ｋ、またはＮ（Ｒ1）（Ｒ2）（Ｒ3）（Ｒ4）であり、Ｒ1、Ｒ2、Ｒ3、及びＲ4は、同じまたは異なるものであって、Ｈ、ＣＨ3、またはＣ2Ｈ5である）で表される側鎖を有する高フッ素化炭素主鎖を含むイオン交換ポリマーから選択されるカチオン交換ポリマーを含む、［２］に記載の複合ポリマーイオン交換膜。
［１５］  互いに反対側の表面を有する複合ポリマーイオン交換膜の製造方法であって：
（ａ）少なくとも１種類のイオン交換ポリマーを含む溶液または分散体を提供する工程と、
（ｂ）非伝導性非圧密化ポリマー繊維を含む多孔質不織ウェブ材料を提供する工程と、
（ｃ）前記溶液または分散体を前記ウェブに接触させる工程であって、乾燥させると、前記少なくとも１種類のイオン交換ポリマーが、前記不織ウェブの互いに反対側の表面の間に含浸され、前記少なくとも１種類のイオン交換ポリマーが、前記複合膜全体にわたって実質的に等しい体積分率を有し、前記互いに反対側の表面の間での体積分率が５０パーセントを超えるように行われる工程と
を含む、方法。
［１６］  ８０ｍＳ／ｃｍを超えるイオン伝導度を有する複合ポリマーイオン交換膜が得られる、［１５］に記載の方法。
［１７］  前記アニオン交換ポリマーが：
（ｉ）少なくとも部分フッ素化された多環芳香族ポリマー主鎖が、式Ｉ：
【化１】
2014525115.tif 000001
（式中、
Ａは、単結合、アルキレン、フルオロアルキレン、または、任意選択的にハロゲン化物、アルキル、フルオロアルキル、及び／またはカチオン官能基で置換されているアリーレンであり；
Ｂは、単結合、酸素、またはＮＲであり、Ｒは、Ｈ、アルキル、フルオロアルキル、またはアリールであり、任意選択的にハロゲン化物、アルキル、架橋剤、及び／またはフルオロアルキルで置換されていて；
Ｒa、Ｒb、Ｒe、Ｒd、Ｒm、Ｒn、Ｒp、及びＲqは、それぞれ独立して、水素、フッ素、架橋基、及びカチオン性官能基からなる群から選択され；
Ａ、Ｂ、Ｒa、Ｒb、Ｒc、Ｒd、Ｒm、Ｒn、Ｒp、及びＲqの少なくとも１つはフッ素化されている）
の繰り返し単位を含む、及び
（ｉｉ）少なくとも部分フッ素化された多環芳香族ポリマー主鎖が、
【化２】
2014525115.tif 000002
（式中、Ｂは、単結合、酸素、またはＮＲであり、Ｒは、Ｈ、アルキル、フルオロアルキル、またはアリールであり、任意選択的にハロゲン化物、アルキル、架橋剤、及び／またはフルオロアルキルで置換されている）
の繰り返し単位を含む、
からなる群から選択される、［３］に記載の複合ポリマーイオン交換膜。
［１８］  前記イオン交換ポリマーが少なくとも６０パーセントの体積分率を有する、［１］に記載の複合ポリマーイオン交換膜。
［１９］  前記膜中に前記ウェブが存在することによる厚さ方向の伝導度低下（ｚ軸）が存在しない、［１］に記載の複合ポリマーイオン交換膜。
［２０］  前記厚さ方向伝導度が、成分の強化されていないイオン交換ポリマーの厚さ方向伝導度の少なくとも８０％である、［１］に記載の複合ポリマーイオン交換膜。
【手続補正３】
【補正対象書類名】明細書
【補正対象項目名】０１３２
【補正方法】変更
【補正の内容】
【０１３２】
【数１】
2014525115.tif 000003